(57)【要約】  本発明のさまざまな観点にしたがうと、成形弾道レドームのための方法およびデバイスは、伝送デバイスを遮蔽するシステムを構成し、より詳細には、本発明の代表的で例示的な実施形態は一般に、弾道偏向およびアンテナ機器ユニットの保護のための改善された方法およびシステム、および／またはこれらに類似するものに関する。
2010506453.tif 000002
【特許請求の範囲】
【請求項１】
成形弾道レドームにおいて、
アンテナ機器ユニットと、
前記アンテナ機器ユニットを遮蔽する成形レドームとを具備し、
前記成形レドームは、衝突する発射体に対して、相対的に低い傾斜度に対応するエリアを低減させるように構成されている成形弾道レドーム。
【請求項２】
前記レドームの形状は、弧の少なくとも一部を含んでいる請求項１記載の成形弾道レドーム。
【請求項３】
前記レドームの形状は、中央の発射体衝突に対して構造上の強度を提供するように構成されている請求項１記載の成形弾道レドーム。
【請求項４】
前記レドームの形状は、レドームの内表面と、前記アンテナ機器ユニットの上部との間に、増加した空間を提供するように構成されている請求項１記載の成形弾道レドーム。
【請求項５】
前記レドームの形状は、増加した空間を提供して、前記アンテナ機器ユニットを設置するように構成されている請求項１記載の成形弾道レドーム。
【請求項６】
前記成形弾道レドームを第２の表面に取り付けるメカニズムをさらに具備する請求項１記載の成形弾道レドーム。
【請求項７】
破片を実質的に食い止めるために、前記レドームに結合されるスポール層をさらに具備する請求項５記載の成形弾道レドーム。
【請求項８】
前記スポール層の内表面と、前記レドーム表面とに結合される整合シートをさらに具備する請求項７記載の成形弾道レドーム。
【請求項９】
前記レドームの形状は、実質的に凹状である請求項１記載の成形弾道レドーム。
【請求項１０】
成形弾道レドームにおいて、
アンテナ機器ユニットと、
前記アンテナ機器ユニットを遮蔽する成形上部レドーム表面と、
前記上部レドーム表面に結合されるスポール層と、
前記スポール層と、前記上部レドーム表面とに結合される複数の整合シートと、
前記成形弾道レドームを第２の表面に結合するように構成されている取り付けメカニズムとを具備し、
前記成形上部レドーム表面は、到来する発射体に対して、低い傾斜度を有するエリアを低減させるように構成されている成形弾道レドーム。
【請求項１１】
前記上部レドーム表面の形状は、弧の少なくとも一部を含んでいる請求項１０記載の成形弾道レドーム。
【請求項１２】
前記上部レドーム表面の形状は、中央の発射体衝突に対して構造上の強度を提供するように構成されている請求項１０記載の成形弾道レドーム。
【請求項１３】
前記上部レドーム表面の形状は、前記上部レドーム表面の内側と、前記アンテナ機器ユニットの上部との間に、増加した空間を提供するように構成されている請求項１０記載の成形弾道レドーム。
【請求項１４】
前記上部レドーム表面の形状は、増加した空間を提供して、前記アンテナ機器ユニットを設置するように構成されている請求項１０記載の成形弾道レドーム。
【請求項１５】
前記上部レドーム表面の形状は、実質的に凹状である請求項１０記載の成形弾道レドーム。
【請求項１６】
アンテナ機器ユニットの弾道遮蔽方法において、
前記方法は、
前記アンテナ機器ユニットを遮蔽する成形上部レドーム表面を提供し、前記ドーム成形上部レドーム表面は、発射体の偏向のために、増加した傾斜角を与えるように構成されているステップと、
前記上部レドーム表面の底部に結合されるスポール層を提供するステップと、
前記スポール層と、前記上部レドーム表面とに結合される複数の整合シートを提供するステップと、
前記成形弾道レドームを第２の表面に結合するように構成されている取り付けメカニズムを提供するステップとを含む方法。
【請求項１７】
前記レドームの形状は、弧の少なくとも一部を含むように構成されている請求項１６記載のアンテナ機器の弾道遮蔽方法。
【請求項１８】
前記レドームの形状は、中央の発射体衝突に対して構造上の強度を提供するように構成されている請求項１６記載のアンテナ機器の弾道遮蔽方法。
【請求項１９】
前記レドームの形状は、レドームの内表面と、前記アンテナ機器ユニットの上部との間に、増加した空間を提供するように構成されている請求項１６記載のアンテナ機器の弾道遮蔽方法。
【請求項２０】
前記レドームの形状は、増加した空間を提供して、前記アンテナ機器ユニットを設置するように構成されている請求項１６記載のアンテナ機器ユニットの弾道遮蔽方法。
【発明の詳細な説明】
【関連出願】
【０００１】
本出願は、２００６年９月２９日に米国特許商標庁に出願された米国仮特許出願第６０／８２７４８１号の利益を主張する。本出願は、追加として、サポートを可能にする米国特許出願第１１／２９７，９９９号の開示に一部依拠する。
【発明の背景】
【０００２】
レドームは、アンテナを保護するために使用される。この保護は、氷、雪、砂、風、または雨のような天候からの保護であってもよく、あるいは、カバーされたアンテナの指向を導き出そうと試みる観測者からの保護であってもよい。レドームを構築する際に使用される材料は一般に、レドーム内部のアンテナと外部機器との間で比較的減衰されない電磁信号を可能にするという点で、レドームは他の構造と区別してもよい。しかしながら、この一般的に薄い壁のアプローチは、発射体の攻撃および他の空中異物に対する保護を達成するために用いられる、厚い厚さを装甲する技術とは全く対照的である。
【０００３】
この問題に対処する先の試みは、大量の表面積をとり、過度の重みを加え、レドームの内部とアンテナ機器との間の空間が厳しく制限される。さらに、構造は、いくつかの基本的な弾道保護を提供するが、侵徹深度を最小化するように設計されていない。したがって、これらと、従来の技術に関連付けられる他の欠乏とに対処する必要性が存在する。
【発明の概要】
【０００４】
本発明のさまざまな観点にしたがうと、成形弾道レドームのための方法およびデバイスは、伝送デバイスを遮蔽するシステムを構成し、より詳細には、本発明の代表的で、例示的な実施形態は一般に、弾道偏向およびアンテナ機器ユニットの保護のための改善された方法及びシステム、および／またはこれらに類似するものに関する。
【０００５】
本発明の代表的な要素、動作特徴、応用、および／または利点は、以下でより完全に描写され、記述され、さもなければ識別されるように、とりわけ、構成および動作の詳細な説明に存在し、詳細な説明では、その一部を形成する添付の図面、画像、図などを参照しており、そこでは、同一の数字は、全体を通して同一の部分を指す。
【０００６】
図、図面、画像などにおける要素が、簡単および明瞭のために図示されているが、必ずしもスケーリングするように描かれていない。例えば、本発明のさまざまな実施形態の理解を向上させることを支援するために、図中の要素のいくつかの寸法は、他の要素に対して誇張されているかもしれない。さらに、ここでの用語‘第１’、‘第２’、およびこれらに類似するものは、たとえあるとしても、とりわけ、類似の要素間を区別するために使用され、必ずしも、連続したまたは時間的な順序を記述するものではない。さらに、本開示における、または特許請求の範囲における、用語‘前’、‘後’、‘上部’、‘底部’、‘上に’、‘下に’、およびこれらに類似するものは、一般に、記述目的のために用いられ、必ずしも排他的な相対位置を包括的に記述するものではない。そのように使用される先の用語のいずれかを適切な状況の下で交換してもよく、それにより、ここで記述する本発明のさまざまな実施形態が、例えば、明確に図示され、さもなければ記述されている構成および／または指向よりも、他の構成および／または指向において動作できることが理解される。
【図面の簡単な説明】
【０００７】
【図１】図１は、本発明の代表的な実施形態にしたがった、成形弾道レドームの破断図を図示する。
【図２】図２は、本発明の別の代表的な実施形態にしたがった、レドームの上部の図を図示する。
【図３】図３は、本発明のさらに別の代表的な実施形態にしたがった、成形弾道レドームの破断図を図示する。
【図４】図４は、本発明のさらに別の代表的な実施形態にしたがった、成形弾道レドームの破断図を図示する。
【図５】図５は、代表的なレドームの実施形態にしたがった、発射体偏向の図を図示する。
【図６】図６は、本発明の例示的な実施形態にしたがった、取り付けデバイスの代表的な図を描写する。
【図７】図７は、代表的な成形弾レドームの階層化構造を図示するブロック図である。
【例示的な実施形態の詳細な説明】
【０００８】
本発明の以下の代表的な記述は一般に、例示的な実施形態と、ベストモードの発明者の概念とに関し、何らかの方法で本発明の応用性または構成を限定するように向けられていない。むしろ、以下の記述は、本発明のさまざまな実施形態を実現する便利な実例を提供するように向けられている。明らかになるように、本発明の精神および範囲から逸脱することなく、開示した例示的な実施形態において記述した任意の要素の機能および／または構成において、変更を実施してもよい。
【０００９】
伝送保護および／または遮蔽の材料、取り付けデバイス、伝送デバイスの観点から、本発明をここで記述してもよい。このような伝送保護および／または遮蔽の材料は、限定されないが、セラミックス、金属、プラスチック、繊維ガラス、ガラス、さまざまな他の無機および有機材料、ならびに／あるいはこれらに類似するものを含む、任意の数の従来の材料を含んでいてもよいことを理解すべきである。さらに、このような伝送保護および／または遮蔽の材料は、さまざまな形態、層、サイズ、テクスチャ、および寸法を備えていてもよい。
【００１０】
ここで示し、記述する特定の構成は、本発明およびそのベストモードの実例であり、何らかの方法で本発明の範囲を限定するように向けられていない。実際に、簡潔にするために、さまざまな従来の伝送デバイス、さまざまな遮蔽および／または保護デバイスの部材、ならびにこれらに類似するものを、ここで詳細に記述しないかもしれない。さらに、本発明を任意の数のデバイスと関連して実施してもよく、記述するシステムは、例示的な応用にすぎない。さらに、本発明は、弾道保護およびこれに類似するもののための従来の技術をいくつでも用いてもよい。
【００１１】
図１を参照すると、本発明のさまざまな観点にしたがって、成形弾道レドーム１００を提供するシステムを、レドーム１１０と一緒に実現してもよい。レドーム１１０は、成形材料１２０を備えていてもよい。また、成形弾道レドーム１００は、整合シート１４０および１４５、ならびに第２の表面に取り付けるための取り付けメカニズム１５０と一緒に実現してもよい。
【００１２】
図２を参照すると、レドーム１１０は、何らかのカバーを備えていてもよい。このカバーは、アンテナ機器と一緒に使用してもよい。レドーム１１０は一般に、限定されないが、天候、デブリ、発射体、汚染、腐食、外部監視、および／またはこれらに類似するものを含むものに対する保護を提供する。レドーム１１０は、アンテナ機器を隠し、保護するように構成されていてもよく、送信または受信性能の、干渉または低下を最小化するように設計されていてもよい。本実施形態において、レドーム１１０は、成形材料１２０および／またはスポール層１３０のうちの少なくとも１つを備えていてもよい。レドーム１１０は、複数の整合シート１４０、１４５に結合されていてもよい。
【００１３】
成形される、成形材料１２０および／または保護材料は湾曲を形成して、弾道損害を低減させ、材料を偏向させ、デブリ、天候、および／またはこれらに類似するものから保護してもよい。代替の代表的な実施形態において、成形材料１２０は、弾道成形レドーム１００を流線型にするように形成されていてもよく、それにより、抵抗を低減させ、またはシステムをカムフラージュする。成形材料１２０は、何らかの適切な材料から構成されてもよい。例えば、成形材料１２０は、発射体の攻撃から保護するために適当に頑強であってもよく、任意の適切な形状に形成してもよい。代表的な実施形態において、これから図３を参照すると、弾道損害を減少させること、ならびに／あるいは発射体およびデブリを偏向させること、のうちの少なくとも１つのために、成形材料１２０は、高い傾斜度、軸の傾斜角、および／またはこれらに類似するものを備えるエリアを増加させてもよい。同様に、本発明にしたがって、成形材料１２０および／または遮蔽材料は、限定されないが、ドーム、球、卵形体、長球面、および／または偏球面、および／またはこれらに類似するものを含む、さまざまな形状、または少なくとも部分的な形状を形成するように実現してもよい。さらに、成形材料１２０および／または遮蔽材料は、例えば、六角形の、五角形の、八角形の、および／またはこれらに類似するもののような、さまざまな幾何学的平面および／または面に少なくとも部分的に区分化されてもよい。成形材料１２０は、１つの材料または多くの階層化された材料から構成されていてもよい。
【００１４】
代表的な実施形態において、成形材料１２０は、何らかの適切な幅を備えていてもよい。例示的な実施形態において、成形材料１２０は、約１インチのセラミック層を備えていてもよい。別の実施形態において、成形材料１２０は、アーク形状の少なくとも一部を備えていてもよい。
【００１５】
成形弾道レドーム１００は、スポールライナー１３０を備えていてもよい。スポールライナー１３０は一般に、可能性のある破片の数を低減させるように動作し、デブリの破片の円錐を狭くする。スポールライナー１３０は、ノイズおよび熱の絶縁を提供してもよい。例えば、スポールライナー１３０は、複数の攻撃、運動エネルギー弾、成形爆薬、および／またはこれらに類似するものに対する保護を提供するように適合されていてもよい。さらに、スポールライナー１３０は、成形弾道レドーム１００構造に対して、追加のサポートを提供してもよい。スポール層は、１つの材料から製造されてもよく、または、複数の層および／または材料から構成されてもよい。
【００１６】
代表的な実施形態において、スポールライナー１３０は、アンテナ機器ユニット１６０に最も近い成形材料１２０の内表面に結合されていてもよい。スポールライナー１３０は実質的に、成形材料１２０の内表面と同じ形状であってもよい。スポールライナー１３０は、何らかの適切な材料または材料の組み合わせから製造されてもよいが、スポールライナー１３０は、ＣＥ／ガラス材料から構成されていてもよい。
【００１７】
成形レドーム１００はまた、インピーダンス整合のために、複数の整合シート１４０、１４５を備えていてもよい。適切に設計された誘導性回路を誘電性のフレーム構造に加えることにより、インピーダンス整合は、接合箇所の誘電性のフレーム構造の容量性リアクタンスを消す。インピーダンス整合により、フレーム構造は、もはやエネルギーを散乱させない。実際上、フレーム構造は消失し、伝送損を低減させ、それにより、散乱されるエネルギーの劣化をアンテナから除去する。整合シート１４０、１４５は一般に、成形弾道レドーム１００の外表面および内表面を構成していてもよい。代わりに、結合的にまたは連続的に、整合シートは、材料のいずれかの個々の構成層の内側および外側のまわりに組み込まれていてもよい。例えば、スポール層１３０は、成形材料１２０に結合された複数の整合シートの間にはさまれていてもよく、２つの追加の整合シートの間にはさまれていてもよい。
【００１８】
整合シート１４０、１４５は、何らかの適切な材料から製造してもよい。さらに、整合シート１４０、１４５は、何らかの適切な形状に成形されてもよい。一般に、整合シート１４０および１４５は実質的に、それが結合される予定の表面の形状に近いであろう。
【００１９】
整合シート１４０、１４５は、インピーダンス整合を実行するように適切に構成されて、伝送機器の電気に関する実行要求により、必要に応じてフレーム構造の損失を消してもよい。
【００２０】
代表的な実施形態において、整合シート１４０は、成形材料１２０の外形状に近似するように製造してもよい。それらは、何らかの適切な材料または材料の組み合わせから製造してもよく、代表的な実施形態において、整合シート１４０および１４５は、高密度ポリエチレンから製造してもよい。別の代表的な実施形態において、整合シート１４５は、成形材料１２０の内形状に近似するように製造してもよい。さらに、整合シート１４０は、接着剤を使用して成形材料１２０に結合されていてもよい。同様に、整合シート１４５は、接着剤を使用してスポール層１３０に結合されていてもよい。第１の整合シート１４０および第２の整合シート１４５は、何らかの適切な厚さであってもよいが、代表的で例示的な実施形態において、各シートは、約１／１６インチの厚さであってもよい。
【００２１】
本発明の取り付けメカニズム１５０は、例えば、リング、取り付けデバイス、フレーム、プレート、ベース、ねじ、ナット、ボルト、釘、接着剤、溶接、連結器、および／またはこれらに類似するもののような、何らかの従来の取り付け手段から構成されていてもよいことが理解される。さらに、本発明の取り付けメカニズム１５０は、例えば、セラミックス、金属、プラスチック、繊維ガラス、ガラス、さまざまな他の無機および有機材料、ならびに／あるいはこれらに類似するもののような、何らかの従来の材料から構成されていてもよい。取り付けメカニズム１５０に対する仕様（例えば、サイズ、形状、形態、テクスチャ、寸法、整合性、および／またはこれらに類似するもの）は、本発明のさまざまな実施形態による実現に実質的に適している何らかのパラメータを含んでいてもよい。取り付けメカニズム１５０は、その構成が電気信号の伝送を劣化させることに対する寄与を最小にするように設計されてもよい。
【００２２】
取り付けメカニズム１５０は、レドーム１１０および／または遮蔽材料に取り付けられ、貼られ、および／または接続されて、レドームおよび遮蔽デバイスが実質的に形成されてもよいことがさらに理解される。例示的な構成において、取り付けメカニズム１５０は、リングフレームの上部プレート１５２と、リングフレームの底部プレート１５５とを備えていてもよい。別の実施形態において、成形弾道レドーム１００に対する取り付けメカニズム１５０は一般に、アンテナ機器ユニット１６０コンポーネントへの繰り返し可能なアクセスを可能にする。例えば、取り付けメカニズム１５０は、成形弾道レドーム１００の少なくとも一部を除去するように適切に設計されて、アンテナ機器ユニット１６０コンポーネントへのアクセスを提供してもよい。代替の実施形態において、アンテナ機器ユニット１６０コンポーネントは第２の表面の下に位置付けられてもよく、成形弾道レドーム１００は、周囲の第２の表面と実質的に面一に取り付けられてもよい。
【００２３】
図６を参照すると、代表的な実施形態において、取り付けメカニズム１５０は、リングフレームの上部プレート１５２と、リングフレームの底部プレート１５５とを備えていてもよい。リングフレームの上部プレート１５２は一般に、リングフレームの底部プレート１５５にレドーム１１０を固定する。リングフレームの上部プレート１５２は、何らかの適切な形状または寸法であってもよく、何らかの適切な材料から構築されてもよい。現在知られているものであろうと、または、技術的に以下で記述する別のものであろうと、リングフレームの上部プレート１５２は、第２の表面またはリングフレームの底部プレート１５５に接続するために何らかの手段を使用してもよい。１つの実施形態において、他の固定方法を用いてもよいが、ねじを使用して、リングフレームの上部プレート１５２を第２の表面に取り付けてもよい。
【００２４】
代表的な実施形態において、リングフレームの上部プレート１５２は、リングフレームの底部プレート１５５に結合するように構成されていてもよい。別の代表的な実施形態において、レドーム１１０の外円周囲の底部は、リングフレームの上部プレート１５２により実質的に取り囲まれていてもよい。別の実施形態において、リングフレームの上部プレート１５２の傾斜が付けられているエッジと、レドーム１１０の周縁エッジとの圧力嵌合により、リングフレームの上部プレート１５２は、レドーム１１０および／または整合層１４０に結合されてもよい。レドーム１１０のエッジの幅は一般に、レドーム１１０がリングフレームの上部プレート１５２から位置が変わることを防ぐか、さもなければ妨げる。代表的で例示的な実施形態において、リングフレームの上部プレート１５２は、アルミニウムから製造される。別の代表的な実施形態において、リングフレームの上部プレート１５２は、複数の３／８インチのねじにより、リングフレームの底部プレート１５５に取り付けられてもよい。
【００２５】
リングフレームの底部プレート１５５は一般に、レドーム１１０、整合シート１４０、１４５、および／またはスポール層１３０に対する結合表面を備えている。リングフレームの底部プレート１５５は、そのねじ穴がリングフレームの上部プレート１５２のねじ穴に適合するように製造されてもよい。リングフレームの底部プレート１５５は、何らかの適切な手段により第２の表面に固定され、何らかの適切な材料から製造され、何らかの適切な厚さまたは形状を備えていてもよい。リングフレームの上部プレート１５２をリングフレームの底部プレート１５５と組み合わせることにより、成形弾道レドーム１００の要素の、圧力嵌合による閉じ込めを達成してもよい。本発明の１つの実施形態において、図６を参照すると、リングフレームの底部プレート１５５は、ＡＥＵ１６０コンポーネントが通る内部開口を備えていてもよい。リングフレームの底部プレート１５５は、何らかの適切な材料から製造されてもよいが、代表的な実施形態において、リングフレームの底部プレート１５５はアルミニウムで構成されていてもよい。
【００２６】
アンテナ機器ユニット１６０（ＡＥＵ）は、電子信号を送るのと一緒に使用される何らかのデバイスを備えていてもよい。これは、アンテナ、走査アレイセンサ、スイッチ、移相器、電源、電子パッケージ、ＲＦコンポーネント、放射デバイス、変調器、受信機、送信機、トランシーバ、制御装置、センサ、および／またはこれらに類似するものを含んでいてもよい。ＡＥＵは、何らかの適切な指向と、何らかの適切な形状とを有していてもよい。ＡＥＵ１６０は、レドーム１１０内に実質的に含まれていてもよく、または、代わりに、ＡＥＵ１６０の一部だけがレドーム１１０内に含まれていてもよい。図４を参照すると、ＡＥＵ１６０は、リングフレームの底部プレート１５５の下に実質的に位置していてもよく、または、ＡＥＵ１６０の部分は、リングフレームの底部プレート１５５の開口よりも上に位置していてもよい。本発明の代表的な観点にしたがうと、このような伝送デバイスは、レーダー、ソナー、ライダー、および／またはこれらに類似するものを伝送する従来の伝送デバイスを備えていてもよい。これらの伝送デバイスは、何らかの適切な周波数帯域で伝送してもよい。
【００２７】
図７を参照すると、成形弾道レドーム１００は一般に、電子機器に対して保護を提供する。代表的な実施形態において、電子機器は、アンテナ機器ユニット１６０を含んでいてもよい。成形弾道レドーム１００は、レドーム１１０の成形材料１２０の外表面に結合される整合シート１４０とともに製造してもよい。この成形表面は、攻撃する発射体に対して斜角を与えるように設計してもよい。スポール層１３０が、成形材料１２０に結合されていてもよい。スポール層１３０は一般に、成形弾道レドーム１００の要素に対して追加のサポートを提供する。整合シート１４５が、スポール層１３０の内表面に結合されていてもよい。代表的な実施形態において、これらの要素は、上部および底部のリングフレームのプレート１５２，１５５により、第２の表面に固定されてもよい。成形弾道レドーム１００の要素は一般に、ＡＥＵ１６０コンポーネントに対して、電気的に透明な保護シールドを提供する。
【００２８】
ＡＥＵ１６０は、成形弾道レドーム１００の下に収容してもよい。成形弾道レドーム１００の要素は、外部の要因からの保護を提供する一方で、最小の伝送損を与えるように構成されていてもよい。他の機能に加えて、図５を参照すると、成形弾道レドーム１００の構成は一般に、発射体の弾道を変え、および／またはそれらの衝撃を偏向させるように設計されることにより、発射体からの保護の向上を与える。さらに、その構成は一般に、収容すべき電子機器およびＡＥＵ１６０コンポーネントに対するエリアの増加を提供する。例えば、フラットなレドーム装置と比較して、成形弾道レドーム１００の内表面とＡＥＵ１６０コンポーネントとの間には、増加した偏向空間があるかもしれない。発射体の攻撃に起因する、ＡＥＵ１６０の方への成形弾道レドーム１００の変形に対して、十分な空間を利用できるかもしれない。さらに、本実施形態において、アーチ形状は一般に、中央の発射体の衝撃に対して、向上した構造上の強度を提供する。
【００２９】
上述の明細書において、特定の例示的な実施形態に関連して本発明を記述している。しかしながら、ここで説明した本発明の範囲から逸脱することなく、さまざまな修正および変更を実施してもよいことが理解される。限定的な方法ではなく、例示的な方法で明細書を考えるべきであり、このようなすべての修正は、本発明の範囲内に含まれるように向けられている。したがって、本発明の範囲は、単に、上述した例ではなく、特許請求の範囲と、それらの法律上の均等物とにより決定されるべきである。
【００３０】
例えば、いずれかの方法またはプロセスの実施形態において記載されているステップは、いずれかの順序で実行してもよく、特許請求の範囲中で与えられた特定の順序に限定されない。さらに、いずれかの装置または構成の実施形態において記載されているコンポーネントおよび／または要素は、さまざまな順列で、組み立てられ、さもなければ動作可能に構成されて、本発明と同じ結果を実質的にもたらし、それゆえに、特許請求の範囲中に記載されている特定の構成に限定されない。
【００３１】
利益、他の利点および問題に対する解決方法を、特定の実施形態に関して上述している。しかしながら、何らかの特定の利益、利点、または解決方法を発生させ、またはより明白になるようにさせる、何らかの利益、利点、問題に対する解決方法、または何らかの要素は、本発明の不可欠な、必要な、または本質的な、特徴またはコンポーネントとして解釈すべきではない。
【００３２】
ここで使用するとき、用語“備える”、“有する”、“含む”またはこれらの何らかのバリエーションは、非排他的な包含を参照するように向けられており、それにより、要素のリストを構成するプロセス、方法、物、構成、または装置は、記載されたそれらの要素だけでなく、このようなプロセス、方法、物、構成または装置に対して、明白にリスト表示されていないまたは固有の、他の要素を含んでもよい。本発明の実施において使用される上述の構造、構成、応用、割合、要素、材料、またはコンポーネント、の他の組み合わせおよび／または修正と、明確に記載されていないそれらのものとは、同一の一般的な原理から逸脱することなく、変更してもよく、さもなければ、特定の状況、製造仕様、設計パラメータ、または他の動作要求に特に適合されてもよい。
【図１】
2010506453.tif 000003
【図２】
2010506453.tif 000004
【図３】
2010506453.tif 000005
【図４】
2010506453.tif 000006
【図５】
2010506453.tif 000007
【図６】
2010506453.tif 000008
【図７】
2010506453.tif 000009
【手続補正書】
【提出日】平成21年9月2日(2009.9.2)
【手続補正１】
【補正対象書類名】明細書
【補正対象項目名】００１１
【補正方法】変更
【補正の内容】
【００１１】
図１を参照すると、本発明のさまざまな観点にしたがって、成形弾道レドーム１００を提供するシステムを、レドーム１１０と一緒に実現してもよい。レドーム１１０は、成形材料１２０を備えていてもよい。また、成形弾道レドーム１００は、整合シート１４０および１４５、ならびに第２の表面に取り付けるための取り付けメカニズムと一緒に実現してもよい。
【手続補正２】
【補正対象書類名】明細書
【補正対象項目名】００２１
【補正方法】変更
【補正の内容】
【００２１】
本発明の取り付けメカニズムは、例えば、リング、取り付けデバイス、フレーム、プレート、ベース、ねじ、ナット、ボルト、釘、接着剤、溶接、連結器、および／またはこれらに類似するもののような、何らかの従来の取り付け手段から構成されていてもよいことが理解される。さらに、本発明の取り付けメカニズムは、例えば、セラミックス、金属、プラスチック、繊維ガラス、ガラス、さまざまな他の無機および有機材料、ならびに／あるいはこれらに類似するもののような、何らかの従来の材料から構成されていてもよい。取り付けメカニズムに対する仕様（例えば、サイズ、形状、形態、テクスチャ、寸法、整合性、および／またはこれらに類似するもの）は、本発明のさまざまな実施形態による実現に実質的に適している何らかのパラメータを含んでいてもよい。取り付けメカニズムは、その構成が電気信号の伝送を劣化させることに対する寄与を最小にするように設計されてもよい。
【手続補正３】
【補正対象書類名】明細書
【補正対象項目名】００２２
【補正方法】変更
【補正の内容】
【００２２】
取り付けメカニズムは、レドーム１１０および／または遮蔽材料に取り付けられ、貼られ、および／または接続されて、レドームおよび遮蔽デバイスが実質的に形成されてもよいことがさらに理解される。例示的な構成において、取り付けメカニズムは、リングフレームの上部プレート１５２と、リングフレームの底部プレート１５５とを備えていてもよい。別の実施形態において、成形弾道レドーム１００に対する取り付けメカニズムは一般に、アンテナ機器ユニット１６０コンポーネントへの繰り返し可能なアクセスを可能にする。例えば、取り付けメカニズムは、成形弾道レドーム１００の少なくとも一部を除去するように適切に設計されて、アンテナ機器ユニット１６０コンポーネントへのアクセスを提供してもよい。代替の実施形態において、アンテナ機器ユニット１６０コンポーネントは第２の表面の下に位置付けられてもよく、成形弾道レドーム１００は、周囲の第２の表面と実質的に面一に取り付けられてもよい。
【手続補正４】
【補正対象書類名】明細書
【補正対象項目名】００２３
【補正方法】変更
【補正の内容】
【００２３】
図６を参照すると、代表的な実施形態において、取り付けメカニズムは、リングフレームの上部プレート１５２と、リングフレームの底部プレート１５５とを備えていてもよい。リングフレームの上部プレート１５２は一般に、リングフレームの底部プレート１５５にレドーム１１０を固定する。リングフレームの上部プレート１５２は、何らかの適切な形状または寸法であってもよく、何らかの適切な材料から構築されてもよい。現在知られているものであろうと、または、技術的に以下で記述する別のものであろうと、リングフレームの上部プレート１５２は、第２の表面またはリングフレームの底部プレート１５５に接続するために何らかの手段を使用してもよい。１つの実施形態において、他の固定方法を用いてもよいが、ねじを使用して、リングフレームの上部プレート１５２を第２の表面に取り付けてもよい。
【手続補正５】
【補正対象書類名】特許請求の範囲
【補正対象項目名】全文
【補正方法】変更
【補正の内容】
【特許請求の範囲】
【請求項１】
成形弾道レドームにおいて、
アンテナ機器ユニットと、
前記アンテナ機器ユニットを遮蔽する成形レドームとを具備し、
前記成形レドームは、衝突する発射体に対して、相対的に低い傾斜度に対応するエリアを低減させるように構成されている成形弾道レドーム。
【請求項２】
前記成形レドームの形状は、弧の少なくとも一部を含んでいる請求項１記載の成形弾道レドーム。
【請求項３】
前記成形レドームの形状は、中央の発射体衝突に対して構造上の強度を提供するように構成されている請求項１記載の成形弾道レドーム。
【請求項４】
前記成形レドームの形状は、レドームの内表面と、前記アンテナ機器ユニットの上部との間に、増加した空間を提供するように構成されている請求項１記載の成形弾道レドーム。
【請求項５】
前記成形レドームの形状は、増加した空間を提供して、前記アンテナ機器ユニットを設置するように構成されている請求項１記載の成形弾道レドーム。
【請求項６】
前記成形弾道レドームを第２の表面に取り付けるメカニズムをさらに具備する請求項１記載の成形弾道レドーム。
【請求項７】
破片を実質的に食い止めるために、前記成形レドームに結合されるスポール層をさらに具備する請求項５記載の成形弾道レドーム。
【請求項８】
前記スポール層の内表面と、前記成形レドーム表面とに結合される整合シートをさらに具備する請求項７記載の成形弾道レドーム。
【請求項９】
前記成形レドームの形状は、実質的に凹状である請求項１記載の成形弾道レドーム。
【請求項１０】
成形弾道レドームにおいて、
アンテナ機器ユニットと、
前記アンテナ機器ユニットを遮蔽する成形上部レドーム表面と、
前記上部レドーム表面に結合されるスポール層と、
前記スポール層と、前記上部レドーム表面とに結合される複数の整合シートと、
前記成形弾道レドームを第２の表面に結合するように構成されている取り付けメカニズムとを具備し、
前記成形上部レドーム表面は、到来する発射体に対して、低い傾斜度を有するエリアを低減させるように構成されている成形弾道レドーム。
【請求項１１】
前記上部レドーム表面の形状は、弧の少なくとも一部を含んでいる請求項１０記載の成形弾道レドーム。
【請求項１２】
前記上部レドーム表面の形状は、中央の発射体衝突に対して構造上の強度を提供するように構成されている請求項１０記載の成形弾道レドーム。
【請求項１３】
前記上部レドーム表面の形状は、前記上部レドーム表面の内側と、前記アンテナ機器ユニットの上部との間に、増加した空間を提供するように構成されている請求項１０記載の成形弾道レドーム。
【請求項１４】
前記上部レドーム表面の形状は、増加した空間を提供して、前記アンテナ機器ユニットを設置するように構成されている請求項１０記載の成形弾道レドーム。
【請求項１５】
前記上部レドーム表面の形状は、実質的に凹状である請求項１０記載の成形弾道レドーム。
【請求項１６】
アンテナ機器ユニットの弾道遮蔽方法において、
前記方法は、
前記アンテナ機器ユニットを遮蔽する成形上部レドーム表面を提供し、前記成形上部レドーム表面は、発射体の偏向のために、増加した傾斜角を与えるように構成されているステップと、
前記上部レドーム表面の底部に結合されるスポール層を提供するステップと、
前記スポール層と、前記上部レドーム表面とに結合される複数の整合シートを提供するステップと、
前記成形上部レドーム表面を第２の表面に結合するように構成されている取り付けメカニズムを提供するステップとを含む方法。
【請求項１７】
前記レドームの形状は、弧の少なくとも一部を含むように構成されている請求項１６記載のアンテナ機器ユニットの弾道遮蔽方法。
【請求項１８】
前記レドームの形状は、中央の発射体衝突に対して構造上の強度を提供するように構成されている請求項１６記載のアンテナ機器ユニットの弾道遮蔽方法。
【請求項１９】
前記レドームの形状は、レドームの内表面と、前記アンテナ機器ユニットの上部との間に、増加した空間を提供するように構成されている請求項１６記載のアンテナ機器ユニットの弾道遮蔽方法。
【請求項２０】
前記レドームの形状は、増加した空間を提供して、前記アンテナ機器ユニットを設置するように構成されている請求項１６記載のアンテナ機器ユニットの弾道遮蔽方法。
【国際調査報告】
2010506453.tif 000010